(57)【要約】      （修正有）【課題】電力量計に表示される情報を確認する際の作業効率が向上する通信端末を提供する。【解決手段】第１切替信号の受信を契機として、第１表示装置に表示されている第１情報を第２情報に切り替える電力計内の切替装置との間で通信を行う通信端末２であって、情報が入力される入力装置２２と、入力装置２２を介して第１情報に基づく情報を入力するための第１画面、又は、入力装置２２を介して第２情報に基づく情報を入力するための第２画面が表示される第２表示装置２１と、第１画面が第２表示装置２１に表示されているときに、第１情報に基づく情報が入力されたことを示す情報が入力装置２２を介して入力された場合、第２表示装置に表示されている第１画面が第２画面に切り替えられると共に第１切替信号が切替装置に送信されるように制御する制御装置２５と、を備えた。【選択図】図５
2016143124.tif 000002
【特許請求の範囲】
【請求項１】
第１切替信号を受信したことを契機として、第１表示装置に表示されている第１情報を第２情報に切り替える切替装置との間で通信を行う通信端末であって、
情報が入力される入力装置と、
前記入力装置を介して前記第１情報に基づく情報を入力するための第１画面、又は、前記入力装置を介して前記第２情報に基づく情報を入力するための第２画面が表示される第２表示装置と、
前記第１画面が前記第２表示装置に表示されているときに、前記第１情報に基づく情報が入力されたことを示す情報が前記入力装置を介して入力された場合、前記第２表示装置に表示されている前記第１画面が前記第２画面に切り替えられると共に前記第１切替信号が前記切替装置に送信されるように制御する制御装置と、
を備えたことを特徴とする通信端末。
【請求項２】
前記入力装置に入力された情報が記憶される記憶装置を備え、
前記制御装置は、前記第１画面が前記第２表示装置に表示されているときに、前記第１情報に基づく情報が入力されたことを示す情報が前記入力装置を介して入力された場合、前記第１情報に基づく情報が前記記憶装置に記憶され、更に、前記第２表示装置に表示されている前記第１画面が前記第２画面に切り替えられると共に前記第１切替信号が前記切替装置に送信されるように制御する
ことを特徴とする請求項１に記載の通信端末。
【請求項３】
前記制御装置は、前記第２画面が前記第２表示装置に表示されているときに、前記第２情報に基づく情報が入力されたことを示す情報が前記入力装置を介して入力された場合、前記第２情報に基づく情報が前記記憶装置に記憶されず、更に、前記第２表示装置に表示されている前記第２画面が前記第１画面に切り替えられると共に、前記第２情報を前記第１情報に切り替えるための第２切替信号が前記切替装置に送信されるように制御する
ことを特徴とする請求項２に記載の通信端末。
【請求項４】
前記第１表示装置には、複数の時間帯における情報が選択的に表示される
ことを特徴とする請求項１乃至３の何れか一項に記載の通信端末。
【発明の詳細な説明】
【技術分野】
【０００１】
本発明は、通信端末に関する。
【背景技術】
【０００２】
例えば、所定時間毎に表示されている情報が順次切り替わる表示装置を有する電力量計が知られている（例えば特許文献１）。
【先行技術文献】
【特許文献】
【０００３】
【特許文献１】特開２００５−７００３４号公報
【発明の概要】
【発明が解決しようとする課題】
【０００４】
ところで、例えば特許文献１における電力量計の表示装置に順次表示される複数の情報のうちの所定の情報を確認する確認作業を行う場合、この表示装置に所定の情報が表示されるに比較的長時間を要することがある。この場合、当該確認作業の作業効率が低下する虞がある。
【０００５】
そこで、本発明は、電力量計に表示される情報を確認する際の作業効率が向上するように構成される通信端末を提供することを目的とする。
【課題を解決するための手段】
【０００６】
前述した課題を解決する主たる本発明である通信端末は、第１切替信号を受信したことを契機として、第１表示装置に表示されている第１情報を第２情報に切り替える切替装置との間で通信を行う。この通信端末は、情報が入力される入力装置と、前記入力装置を介して前記第１情報に基づく情報を入力するための第１画面、又は、前記入力装置を介して前記第２情報に基づく情報を入力するための第２画面が表示される第２表示装置と、前記第１画面が前記第２表示装置に表示されているときに、前記第１情報に基づく情報が入力されたことを示す情報が前記入力装置を介して入力された場合、前記第２表示装置に表示されている前記第１画面が前記第２画面に切り替えられると共に前記第１切替信号が前記切替装置に送信されるように制御する制御装置と、を備える。
【０００７】
本発明の他の特徴については、添付図面及び本明細書の記載により明らかとなる。
【発明の効果】
【０００８】
本発明によれば、電力計に表示される情報を確認する際の作業効率を向上させることが可能になる。
【図面の簡単な説明】
【０００９】
【図１】本実施形態に係る通信端末とともに用いられる電力量計を示す正面図である。
【図２】本実施形態に係る通信端末とともに用いられる電力量計の機能を示すブロック図である。
【図３】本実施形態に係る通信端末を示す正面図である。
【図４】本実施形態に係る通信端末を示す平面図である。
【図５】本実施形態に係る通信端末の機能を示すブロック図である。
【図６】本実施形態に係る通信端末の第１入力画面を示す図である。
【図７】本実施形態に係る通信端末の第２入力画面を示す図である。
【図８】本実施形態に係る通信端末の第３入力画面を示す図である。
【図９】本実施形態に係る通信端末の第４入力画面を示す図である。
【発明を実施するための形態】
【００１０】
本明細書および添付図面の記載により、少なくとも以下の事項が明らかとなる。
【００１１】
＝＝＝電力量計＝＝＝
以下、図１及び図２を参照して、本実施形態における電力量計について説明する。図１は、本実施形態に係る通信端末とともに用いられる電力量計を示す正面図である。図２は、本実施形態に係る通信端末とともに用いられる電力量計の機能を示すブロック図である。
【００１２】
＝全体構成＝
電力量計１は、例えば一般家庭及び工場等の需要家で消費されている電力についての情報を表示する装置である。電力量計１は、所定時間（例えば１０秒）毎に表示部１１の表示が切り替わる例えばサイクリック式メータである。電力量計１は、例えば、１日の第１乃至第３時間帯夫々における消費電力量の値を順次表示する。
【００１３】
電力量計１は、表示部１１（第１表示装置）、通信部１２、記憶部１３、計測部１４、制御部１５（切替装置）を有する。
【００１４】
表示部１１は、電力量計１の正面に設けられる例えば液晶ディスプレイである。通信部１２は、通信端末２（図３）との間で無線通信を行う。記憶部１３には、電力量計の動作を制御するためのプログラムが記憶されている。計測部１４は、例えば配電線から需要家に供給される電力を消費電力として計測する。
【００１５】
制御部１５は、記憶部１２に記憶されているプログラムを実行することにより、電力量計１を統括制御する例えばＣＰＵ（Central Processing Unit）である。具体的には、制御部１５は、例えば、通信端末２から出力される第１及び第２切替信号に基づいて、電力量計１のモードを切り替えたり、当該信号に基づいて表示部１１に表示されている情報を切り替えたりする。
【００１６】
＝電力量計のモード＝
電力量計１は、第１及び第２モードを有する。第１及び第２モードは、電力量計１における表示部１１への情報の表示方法を示している。
【００１７】
＜第１モード＞
第１モードは、表示部１１の表示が所定時間毎に設定順序に従って切り替わるモードである。尚、設定順序は、表示部１１に表示される情報についての予め定められている表示順序を示す。例えば、設定順序において、第１時間帯の消費電力量の値（「第１消費電力値」とも称する）、第２時間帯の消費電力量の値（「第２消費電力値」とも称する）、第３時間帯の消費電力量の値（「第３消費電力値」とも称する）の順に表示されるように設定されている場合、第１モードにおいて、表示部１１は、第１消費電力値を示す情報、第２消費電力値を示す情報、第３消費電力値を示す情報の順に、所定時間毎に順次表示する。
【００１８】
＜第２モード＞
第２モードは、表示部１１の表示が第１及び第２切替信号に基づいて切り替わるモードである。第２モードでは、所定時間毎の表示の切り替えは行われない。
【００１９】
例えば、第２モードでは、第１切替信号を受信する毎に第１消費電力値、第２消費電力値、第３消費電力値の順に、表示部１１の表示が切り替えられる。又、例えば、第２モードでは、第２切替信号を受信する毎に第３消費電力値、第２消費電力値、第１消費電力値の順に、表示部１１の表示が切り替えられる。
【００２０】
＝制御部＝
制御部１５は、第１及び第２切替信号の少なくとも一方を通信部１２が受信した場合、第１モードから第２モードへ切り替える。制御部１５は、第２モードにおいて通信部１２が第１又は第２切替信号を受信した場合、通信部１２が受信した信号に応じて表示部１１の表示を切り替える。
【００２１】
＝＝＝通信端末＝＝＝
以下、図３乃至図９を参照して、本実施形態における通信端末について説明する。図３は、本実施形態に係る通信端末を示す正面図である。図４は、本実施形態に係る通信端末を示す平面図である。図５は、本実施形態に係る通信端末の機能を示すブロック図である。図６は、本実施形態に係る通信端末の第１入力画面を示す図である。図７は、本実施形態に係る通信端末の第２入力画面を示す図である。図８は、本実施形態に係る通信端末の第３入力画面を示す図である。図９は、本実施形態に係る通信端末の第４入力画面を示す図である。
【００２２】
＝全体構成＝
通信端末２は、電力量計１の検針作業を行う作業者によって検針結果が入力される装置である。尚、検針作業とは、各需要家の消費電力量の値を確認する作業である。検針作業では、作業者が、電力量計１の表示部１１に表示されている情報を目視により確認し、当該確認結果に基づいて通信端末２に対して情報を入力する。
【００２３】
通信端末２は、表示部２１（第２表示装置）、入力部２２、通信部２３、記憶部２４、制御部２５（制御装置）を有する。
【００２４】
表示部２１は、通信端末２の正面に設けられる例えば液晶ディスプレイである。表示部２１には、第１入力画面３１、第２入力画面３２、第３入力画面３３及び第４入力画面３４を含む各種入力画面が順次表示される。
【００２５】
入力部２２は、通信端末２に対して情報を入力したり通信端末２を操作したりするための、例えば通信端末２の正面に設けられる各種操作ボタンである。各種操作ボタンには、決定ボタン２２１、キーボタン２２２、操作ボタン２２３が含まれている。
【００２６】
通信部２３は、電力量計１の通信部１２との間で無線通信を行う。尚、この無線通信には、赤外線無線通信が含まれていることとする。通信部２３は、制御部２５による制御に基づいて、通信部１２に対して第１及び第２切替信号を送信する。
【００２７】
記憶部２４には、通信端末２のプログラム、入力部２２を介して通信端末２に対して入力された情報が記憶される。制御部２５は、記憶部２４に記憶されているプログラムを実行することにより、通信端末２を統括制御する例えばＣＰＵである。
【００２８】
＝入力画面＝
第１入力画面３１は、作業者による検針作業が行われている需要家を識別するため識別情報を入力するための画面である。識別情報とは、例えば、電力契約の契約者の氏名又は名称、需要家の住所、需要家における特記事項等を示していることとしてもよい。第１入力画面３１の所定の入力欄に入力部２２を介して入力された識別情報は、記憶部２４に記憶される。
【００２９】
第１入力画面３１には、登録ボタン３１１が表示されている。登録ボタン３１１が選択された状態で、決定ボタン２２１が押下された場合、第１入力画面３１に入力されている識別情報が記憶部２４に記憶されると共に、表示部２１の表示が第１入力画面３１から第２入力画面３２に切り替えられる。更に、この場合、第１切替信号が送信される。
【００３０】
第２入力画面３２は、第１消費電力値を示す情報を入力するための画面である。第２入力画面３２の所定の入力欄に入力部２２を介して入力された第１消費電力値を示す情報は、記憶部２４に記憶される。
【００３１】
第２入力画面３２には、登録ボタン３２１及び戻るボタン３２２が表示されている。登録ボタン３２１が選択された状態で、決定ボタン２２１が押下された場合、第２入力画面３２に入力されている情報が記憶部２４に記憶されると共に、表示部２１の表示が第２入力画面３２から第３入力画面３３に切り替えられる。更に、この場合、第１切替信号が送信される。一方、戻るボタン３２２が選択された状態で、決定ボタン２２１が押下された場合、第２入力画面３２に入力されている情報が記憶部２４に記憶されることなく、表示部２１の表示が第２入力画面３２から第１入力画面に３１に切り替えられる。更に、この場合、第２切替信号が送信される。
【００３２】
第３入力画面３３は、第２消費電力値を示す情報を入力するための画面である。第３入力画面３３の所定の入力欄に入力部２２を介して入力された第２消費電力値を示す情報は、記憶部２４に記憶される。
【００３３】
第３入力画面３３には、登録ボタン３３１及び戻るボタン３３２が表示されている。登録ボタン３３１が選択された状態で、決定ボタン２２１が押下された場合、第３入力画面３３に入力されている情報が記憶部２４に記憶されると共に、表示部２１の表示が第３入力画面３３から第４入力画面３４に切り替えられる。更に、この場合、第１切替信号が送信される。一方、戻るボタン３３２が選択された状態で、決定ボタン２２１が押下された場合、第３入力画面３３に入力されている情報が記憶部２４に記憶されることなく、表示部２１の表示が第３入力画面３３から第２入力画面に３２に切り替えられる。更に、この場合、第２切替信号が送信される。
【００３４】
第４入力画面３４は、第３消費電力値を示す情報を入力するための画面である。第４入力画面３４の所定の入力欄に入力部２２を介して入力された第３消費電力値を示す情報は、記憶部２４に記憶される。
【００３５】
第４入力画面３４には、登録ボタン３４１及び戻るボタン３４２が表示されている。登録ボタン３４１が選択された状態で、決定ボタン２２１が押下された場合、第４入力画面３４に入力されている情報が記憶部２４に記憶されると共に、表示部２１の表示が第４入力画面３４から所定の初期画面に切り替えられる。更に、この場合、第１切替信号が送信される。一方、戻るボタン３４２が選択された状態で、決定ボタン２２１が押下された場合、第４入力画面３４に入力されている情報が記憶部２４に記憶されることなく、表示部２１の表示が第４入力画面３４から第３入力画面に３３に切り替えられる。更に、この場合、第２切替信号が送信される。
【００３６】
＝＝＝通信端末及び電力量計の動作＝＝＝
以下、図６乃至図９を参照して、本実施形態に係る通信端末及び電力量計の動作について説明する。
【００３７】
＜第１の動作＞
識別情報、第１消費電力値を示す情報、第２消費電力値を示す情報、第３消費電力値を示す情報の順に、作業者が通信端末２に入力する場合について説明する。
【００３８】
第１入力画面３１（図６）において、識別情報が作業者によって入力される。登録ボタン３１１が選択された状態で、決定ボタン２２１が押下されたとき、第１入力画面３１に入力されている識別情報が記憶部２４に記憶されると共に、表示部２１の表示が第１入力画面３１から第２入力画面３２に切り替えられる。更に、この場合、電力量計１が第１モードから第２モードに切り替えられると共に、表示部１１に第１消費電力値が表示される。このとき、作業者は、第１消費電力値を目視により確認することが可能となる。
【００３９】
第２入力画面３２（図７）において、第１消費電力値を示す情報が作業者によって入力される。登録ボタン３２１が選択された状態で、決定ボタン２２１が押下された場合、第２入力画面３２に入力されている情報が記憶部２４に記憶されると共に、表示部２１の表示が第２入力画面３２から第３入力画面３３に切り替えられる。更に、この場合、表示部１１に第２消費電力値が表示される。このとき、作業者は、第２消費電力値を目視により確認することが可能となる。
【００４０】
第３入力画面３３（図８）において、第２消費電力値を示す情報が作業者によって入力される。登録ボタン３３１が選択された状態で、決定ボタン２２１が押下された場合、第３入力画面３３に入力されている情報が記憶部２４に記憶されると共に、表示部２１の表示が第３入力画面３３から第４入力画面３４に切り替えられる。更に、この場合、表示部１１に第３消費電力値が表示される。このとき、作業者は、第３消費電力値を目視により確認することが可能となる。
【００４１】
第４入力画面３４（図９）において、第３消費電力値を示す情報が作業者によって入力される。登録ボタン３４１が選択された状態で、決定ボタン２２１が押下された場合、第４入力画面３４に入力されている情報が記憶部２４に記憶されると共に、表示部２１の表示が第４入力画面３４から所定の初期画面に切り替えられる。更に、この場合、表示部１１に第１消費電力値が表示されることとしてもよい。
【００４２】
＜第２の動作＞
第２入力画面３２、第３入力画面３３、第４入力画面３４夫々において、戻るボタン３２２、戻るボタン３３２、戻るボタン３４２が選択された状態で、決定ボタン２２１が押下された場合の動作について説明する。
【００４３】
第４入力画面３４の戻るボタン３４２が選択された状態で、決定ボタン２２１が押下された場合、第４入力画面３４に入力されている情報が記憶部２４に記憶されることなく、表示部２１の表示が第４入力画面３４から第３入力画面に３３に切り替えられる。更に、この場合、表示部１１に第２消費電力値が表示される。
【００４４】
第３入力画面３３の戻るボタン３３２が選択された状態で、決定ボタン２２１が押下された場合、第３入力画面３３に入力されている情報が記憶部２４に記憶されることなく、表示部２１の表示が第３入力画面３３から第２入力画面に３２に切り替えられる。更に、この場合、表示部１１に第１消費電力値が表示される。
【００４５】
第２入力画面３２の戻るボタン３２２が選択された状態で、決定ボタン２２１が押下された場合、第２入力画面３２に入力されている情報が記憶部２４に記憶されることなく、表示部２１の表示が第２入力画面３２から第１入力画面に３１に切り替えられる。
【００４６】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。本実施形態においては、電力量計１が、１日の第１乃至第３時間帯夫々における消費電力量の値を順次表示することについて説明したが、これに限定されるものではない。例えば、電力量計１が、例えば、有効電力の値、無効電力の値、力率の値等を順次表示することとしてもよい。
【符号の説明】
【００４７】
１  電力量計
２  通信端末
１１，２１  表示部
１５，２５  制御部
２２  入力部
２３  通信部
２４  記憶部
３１  第１入力画面
３２  第２入力画面
３３  第３入力画面
３４  第４入力画面
【図１】
2016143124.tif 000003
【図２】
2016143124.tif 000004
【図５】
2016143124.tif 000005
【図６】
2016143124.tif 000006
【図７】
2016143124.tif 000007
【図８】
2016143124.tif 000008
【図９】
2016143124.tif 000009
【図３】
2016143124.tif 000010
【図４】
2016143124.tif 000011